【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
大きさの異なる２種類以上のドットを形成可能なヘッドを備え、主走査と副走査とを行いながら該ヘッドを駆動して画像を印刷する印刷装置であって、
前記画像を構成する画素の階調値に基づいて、前記ドットの形成有無を判断するドット形成判断手段と、
前記画像に含まれる形状について、その輪郭を構成する画素を抽出する輪郭画素抽出手段と、
該輪郭画素には所定の小さなドットが形成されるように前記ドット形成の判断結果を変更した後、該変更後の判断結果に基づいて、前記各大きさのドットを形成するドット形成手段と
を備えた印刷装置。
【請求項２】
請求項１記載の印刷装置であって、
前記輪郭画素抽出手段は、主走査方向に隣接する複数の画素を組として、該組を構成する各画素の階調値と所定の閾値とを比較し、該比較結果と所定の関係とに基づいて前記輪郭画素を抽出する手段である印刷装置。
【請求項３】
大きさの異なる２種類以上のドットを形成可能なヘッドを備え、主走査と副走査とを行いながら該ヘッドを駆動して画像を印刷する印刷装置であって、
前記画像を構成している画素のうち、隣接する複数の画素を所定の関係に基づいて大画素にまとめ、該大画素によって前記画像を表現する低解像度化手段と、
該大画素の階調値に基づいて、該大画素に形成すべきドットの有無を判断するドット形成判断手段と、
前記画像に含まれる形状の輪郭を構成する大画素を抽出し、該輪郭画素にまとめられた前記複数の画素の階調値に基づいて、該輪郭画素に形成すべきドットの大きさを決定する輪郭ドット決定手段と、
該輪郭画素には該決定された大きさのドットが形成されるように、前記大画素についての前記ドット形成の判断結果を変更した後、該変更後の判断結果に基づいて、前記各大きさのドットを形成するドット形成手段と
を備えた印刷装置。
【請求項４】
請求項３記載の印刷装置であって、
前記形成可能なドットの中の所定の大きさのドットは、他のドットに対してドット形成位置を所定方向にずらして設定されているドットであり、
前記輪郭ドット決定手段は、前記輪郭画素にまとめられた複数の画素の階調値分布を解析し、階調値の偏っている方向が前記所定方向と略等しいときには、前記所定の大きさのドットが形成されるよう決定する手段である印刷装置。
【請求項５】
請求項３記載の印刷装置であって、
前記低解像度化手段は、前記画素を主走査方向にまとめる手段であり、
前記形成可能なドットの中の所定の大きさのドットは、他のドットに対してドット形成位置を主走査方向にずらして設定されているドットであり、
前記輪郭ドット決定手段は、前記輪郭画素を分割して得られた各小画素の階調値分布を解析し、階調値の偏っている方向が主走査方向と略等しいときには、前記所定の大きさのドットが形成されるよう決定する手段である印刷装置。
【請求項６】
大きさの異なる２種類以上のドットを形成可能なヘッドを備え、主走査と副走査とを行いながら該ヘッドを駆動して画像を印刷する印刷装置であって、
前記画像を構成する画素の階調値に基づいて、前記ドットの形成有無を判断するドット形成判断手段と、
前記画像に含まれる形状について、その輪郭を構成する画素を抽出する輪郭画素抽出手段と、
前記画素を隣接する複数の小画素に分割し、該小画素の各階調値を所定の関係に基づいて定める高解像度化手段と、
前記輪郭画素を分割して得られた各小画素の階調値に基づいて、該輪郭画素に形成するドットの大きさを決定する輪郭ドット決定手段と、
該輪郭画素には該決定した大きさのドットが形成されるように前記ドット形成の判断結果を変更した後、該変更後の判断結果に基づいて、前記各大きさのドットを形成するドット形成手段と
を備えた印刷装置。
【請求項７】
請求項６記載の印刷装置であって、
前記形成可能なドットの中の所定の大きさのドットは、他のドットに対してドット形成位置を所定方向にずらして設定されているドットであり、
前記輪郭ドット決定手段は、前記輪郭画素を分割して得られた各小画素の階調値分布を解析し、階調値の偏っている方向が前記所定方向と略等しいときには、前記所定の大きさのドットが形成されるよう決定する手段である印刷装置。
【請求項８】
請求項６記載の印刷装置であって、
前記高解像度化手段は、前記画素を主走査方向に分割する手段であり、
前記形成可能なドットの中の所定の大きさのドットは、他のドットに対してドット形成位置を主走査方向にずらして設定されているドットであり、
前記輪郭ドット決定手段は、前記輪郭画素を分割して得られた各小画素の階調値分布を解析し、階調値の偏っている方向が主走査方向と略等しいときには、前記所定の大きさのドットが形成されるよう決定する手段である印刷装置。
【請求項９】
大きさの異なる２種類以上のドットを形成可能なヘッドを備え、主走査と副走査とを行いながら該ヘッドを駆動して画像を印刷する印刷方法であって、
前記画像を構成する画素の階調値に基づいて、前記ドットの形成有無を判断し、
前記画像に含まれる形状について、その輪郭を構成する画素を抽出し、
該抽出した輪郭画素には所定の小さなドットが形成されるように前記ドット形成有無の判断結果を変更した後、該変更後の判断結果に基づいて、前記各大きさのドットを形成する印刷方法。
【請求項１０】
大きさの異なる２種類以上のドットを形成可能なヘッドを備え、主走査と副走査とを行いながら該ヘッドを駆動して画像を印刷する印刷方法であって、
前記画像を構成している画素のうち、隣接する複数の画素を所定の関係に基づいて大画素にまとめ、該大画素によって前記画像を表現し、
該大画素の階調値に基づいて、該大画素に形成すべきドットの有無を判断し、
前記画像に含まれる形状について、その輪郭を構成する大画素を抽出し、
該輪郭画素にまとめられた前記複数の画素の階調値に基づいて、該輪郭画素に形成すべきドットの大きさを決定し、
該輪郭画素には該決定された大きさのドットが形成されるように、前記大画素についてのドット形成有無の判断結果を変更した後、該変更後の判断結果に基づいて、前記各大きさのドットを形成する印刷方法。
【請求項１１】
大きさの異なる２種類以上のドットを形成可能なヘッドを備え、主走査と副走査とを行いながら該ヘッドを駆動して画像を印刷する印刷方法であって、
前記画像を構成する画素の階調値に基づいて、前記ドットの形成有無を判断し、
前記画像に含まれる形状について、その輪郭を構成する画素を抽出し、
前記画素を隣接する複数の小画素に分割し、該小画素の各階調値を所定の関係に基づいて定め、
前記輪郭画素を分割して得られた各小画素の階調値に基づいて、該輪郭画素に形成するドットの大きさを決定し、
該輪郭画素には該決定した大きさのドットが形成されるように前記ドット形成有無の判断結果を変更した後、該変更後の判断結果に基づいて、前記各大きさのドットを形成する印刷方法。
【請求項１２】
大きさの異なる２種類以上のドットを形成して画像を印刷する印刷装置で用いられ、該各ドットの形成有無を判断するために前記画像のデータに所定の処理を施すプログラムを、コンピュータで読み取り可能に記録した記録媒体であって、
前記画像を構成する画素の階調値に基づいて、前記ドットの形成有無を判断する機能と、
前記画像に含まれる形状について、その輪郭を構成する画素を抽出する機能と、
該抽出した輪郭画素には所定の小さなドットが形成されるように前記ドット形成有無の判断結果を変更する機能と
を実現するプログラムを記録した記録媒体。
【請求項１３】
大きさの異なる２種類以上のドットを形成して画像を印刷する印刷装置で用いられ、該各ドットの形成有無を判断するために前記画像のデータに所定の処理を施すプログラムを、コンピュータで読み取り可能に記録した記録媒体であって、
前記画像を構成している画素のうち、隣接する複数の画素を所定の関係に基づいて大画素にまとめ、該大画素によって前記画像を表現する機能と、
該大画素の階調値に基づいて、該大画素に形成すべきドットの有無を判断する機能と、
前記画像に含まれる形状について、その輪郭を構成する大画素を抽出する機能と、
該輪郭画素にまとめられた前記複数の画素の階調値に基づいて、該輪郭画素に形成すべきドットの大きさを決定する機能と、
該輪郭画素には該決定された大きさのドットが形成されるように、前記大画素についてのドット形成有無の判断結果を変更する機能と
を実現するプログラムを記録した記録媒体。
【請求項１４】
大きさの異なる２種類以上のドットを形成して画像を印刷する印刷装置で用いられ、該各ドットの形成有無を判断するために前記画像のデータに所定の処理を施すプログラムを、コンピュータで読み取り可能に記録した記録媒体であって、
前記画像を構成する画素の階調値に基づいて、前記ドットの形成有無を判断する機能と、
前記画像に含まれる形状について、その輪郭を構成する画素を抽出する機能と、
前記画素を互いに隣接する複数の小画素に分割し、該小画素の各階調値を所定の関係に基づいて定める機能と、
前記輪郭画素を分割して得られた各小画素の階調値に基づいて、該輪郭画素に形成するドットの大きさを決定する機能と、
該輪郭画素には該決定した大きさのドットが形成されるように前記ドット形成有無の判断結果を変更する機能と
を実現するプログラムを記録した記録媒体。
【手続補正２】
【補正対象書類名】明細書
【補正対象項目名】０００８
【補正方法】変更
【補正の内容】
【０００８】
【課題を解決するための手段およびその作用・効果】
上述の課題の少なくとも一部を解決するため、本発明の第１の印刷装置は、次の構成を採用した。すなわち、本発明の第１の印刷装置は、
大きさの異なる２種類以上のドットを形成可能なヘッドを備え、主走査と副走査とを行いながら該ヘッドを駆動して画像を印刷する印刷装置であって、
前記画像を構成する画素の階調値に基づいて、前記ドットの形成有無を判断するドット形成判断手段と、
前記画像に含まれる形状について、その輪郭を構成する画素を抽出する輪郭画素抽出手段と、
該輪郭画素には所定の小さなドットが形成されるように前記ドット形成の判断結果を変更した後、該変更後の判断結果に基づいて、前記各大きさのドットを形成するドット形成手段とを備えることを要旨とする。


【手続補正３】
【補正対象書類名】明細書
【補正対象項目名】０００９
【補正方法】変更
【補正の内容】
【０００９】
また、上記印刷装置に対応する本発明の第１の印刷方法は、
大きさの異なる２種類以上のドットを形成可能なヘッドを備え、主走査と副走査とを行いながら該ヘッドを駆動して画像を印刷する印刷方法であって、
前記画像を構成する画素の階調値に基づいて、前記ドットの形成有無を判断し、
前記画像に含まれる形状について、その輪郭を構成する画素を抽出し、
該抽出した輪郭画素には所定の小さなドットが形成されるように前記ドット形成有無の判断結果を変更した後、該変更後の判断結果に基づいて、前記各大きさのドットを形成することを要旨とする。


【手続補正４】
【補正対象書類名】明細書
【補正対象項目名】００１３
【補正方法】変更
【補正の内容】
【００１３】
前述の課題の少なくとも一部を解決するために、本発明の第２の印刷装置は、次の構成を採用した。すなわち、本発明の第２の印刷装置は、
大きさの異なる２種類以上のドットを形成可能なヘッドを備え、主走査と副走査とを行いながら該ヘッドを駆動して画像を印刷する印刷装置であって、
前記画像を構成している画素のうち、隣接する複数の画素を所定の関係に基づいて大画素にまとめ、該大画素によって前記画像を表現する低解像度化手段と、
該大画素の階調値に基づいて、該大画素に形成すべきドットの有無を判断するドット形成判断手段と、
前記画像に含まれる形状の輪郭を構成する大画素を抽出し、該輪郭画素にまとめられた前記複数の画素の階調値に基づいて、該輪郭画素に形成すべきドットの大きさを決定する輪郭ドット決定手段と、
該輪郭画素には該決定された大きさのドットが形成されるように、前記大画素についての前記ドット形成の判断結果を変更した後、該変更後の判断結果に基づいて、前記各大きさのドットを形成するドット形成手段と
を備えることを要旨とする。


【手続補正５】
【補正対象書類名】明細書
【補正対象項目名】００１４
【補正方法】変更
【補正の内容】
【００１４】
また、上記印刷装置に対応する本発明の第２の印刷方法は、
大きさの異なる２種類以上のドットを形成可能なヘッドを備え、主走査と副走査とを行いながら該ヘッドを駆動して画像を印刷する印刷方法であって、
前記画像を構成している画素のうち、隣接する複数の画素を所定の関係に基づいて大画素にまとめ、該大画素によって前記画像を表現し、
該大画素の階調値に基づいて、該大画素に形成すべきドットの有無を判断し、
前記画像に含まれる形状について、その輪郭を構成する大画素を抽出し、
該輪郭画素にまとめられた前記複数の画素の階調値に基づいて、該輪郭画素に形成すべきドットの大きさを決定し、
該輪郭画素には該決定された大きさのドットが形成されるように前記大画素についてのドット形成有無の判断結果を変更した後、該変更後の判断結果に基づいて、前記各大きさのドットを形成することを要旨とする。


【手続補正６】
【補正対象書類名】明細書
【補正対象項目名】００１９
【補正方法】変更
【補正の内容】
【００１９】
前述の課題の少なくとも一部を解決するために、本発明の第３の印刷装置は、次の構成を採用した。すなわち、本発明の第３の印刷装置は、
大きさの異なる２種類以上のドットを形成可能なヘッドを備え、主走査と副走査とを行いながら該ヘッドを駆動して画像を印刷する印刷装置であって、
前記画像を構成する画素の階調値に基づいて、前記ドットの形成有無を判断するドット形成判断手段と、
前記画像に含まれる形状について、その輪郭を構成する画素を抽出する輪郭画素抽出手段と、
前記画素を隣接する複数の小画素に分割し、該小画素の各階調値を所定の関係に基づいて定める高解像度化手段と、
前記輪郭画素を分割して得られた各小画素の階調値に基づいて、該輪郭画素に形成するドットの大きさを決定する輪郭ドット決定手段と、
該輪郭画素には該決定した大きさのドットが形成されるように前記ドット形成の判断結果を変更した後、該変更後の判断結果に基づいて、前記各大きさのドットを形成するドット形成手段とを備えることを要旨とする。


【手続補正７】
【補正対象書類名】明細書
【補正対象項目名】００２０
【補正方法】変更
【補正の内容】
【００２０】
また、上記印刷装置に対応する本発明の第３の印刷方法は、
大きさの異なる２種類以上のドットを形成可能なヘッドを備え、主走査と副走査とを行いながら該ヘッドを駆動して画像を印刷する印刷方法であって、
前記画像を構成する画素の階調値に基づいて、前記ドットの形成有無を判断し、
前記画像に含まれる形状について、その輪郭を構成する画素を抽出し、
前記画素を隣接する複数の小画素に分割し、該小画素の各階調値を所定の関係に基づいて定め、
前記輪郭画素を分割して得られた各小画素の階調値に基づいて、該輪郭画素に形成するドットの大きさを決定し、
該輪郭画素には該決定した大きさのドットが形成されるように前記ドット形成有無の判断結果を変更した後、該変更後の判断結果に基づいて、前記各大きさのドットを形成することを要旨とする。


【手続補正８】
【補正対象書類名】明細書
【補正対象項目名】００２５
【補正方法】変更
【補正の内容】
【００２５】
以上の、第１ないし第３の印刷方法および印刷方法は、大きさの異なる２種類以上のドットを形成可能なヘッドとコンピュータとを備えた印刷装置において、該コンピュータに各種制御を行わせることによっても実現されうる。従って、本発明には、上述の各種機能を実現するプログラムを、コンピュータで読み取り可能に記憶した記録媒体としての態様も含まれている。すなわち、本発明の第１の印刷装置および印刷方法に対応する第１の記録媒体は、
大きさの異なる２種類以上のドットを形成して画像を印刷する印刷装置で用いられ、該各ドットの形成有無を判断するために前記画像のデータに所定の処理を施すプログラムを、コンピュータで読み取り可能に記録した記録媒体であって、
前記画像を構成する画素の階調値に基づいて、前記ドットの形成有無を判断する機能と、
前記画像に含まれる形状について、その輪郭を構成する画素を抽出する機能と、
該抽出した輪郭画素には所定の小さなドットが形成されるように前記ドット形成有無の判断結果を変更する機能と
を実現するプログラムを記録したことを要旨とする。


【手続補正９】
【補正対象書類名】明細書
【補正対象項目名】００２６
【補正方法】変更
【補正の内容】
【００２６】
また、本発明の第２の印刷装置および印刷方法に対応する第２の記録媒体は、
大きさの異なる２種類以上のドットを形成して画像を印刷する印刷装置で用いられ、該各ドットの形成有無を判断するために前記画像のデータに所定の処理を施すプログラムを、コンピュータで読み取り可能に記録した記録媒体であって、
前記画像を構成している画素のうち、隣接する複数の画素を所定の関係に基づいて大画素にまとめ、該大画素によって前記画像を表現する機能と、
該大画素の階調値に基づいて、該大画素に形成すべきドットの有無を判断する機能と、
前記画像に含まれる形状について、その輪郭を構成する大画素を抽出する機能と、
該輪郭画素にまとめられた前記複数の画素の階調値に基づいて、該輪郭画素に形成すべきドットの大きさを決定する機能と、
該輪郭画素には該決定された大きさのドットが形成されるように、前記大画素についてのドット形成有無の判断結果を変更する機能と
を実現するプログラムを記録したことを要旨とする。


【手続補正１０】
【補正対象書類名】明細書
【補正対象項目名】００２７
【補正方法】変更
【補正の内容】
【００２７】
また、本発明の第３の印刷装置および印刷方法に対応する第３の記録媒体は、
大きさの異なる２種類以上のドットを形成して画像を印刷する印刷装置で用いられ、該各ドットの形成有無を判断するために前記画像のデータに所定の処理を施すプログラムを、コンピュータで読み取り可能に記録した記録媒体であって、
前記画像を構成する画素の階調値に基づいて、前記ドットの形成有無を判断する機能と、
前記画像に含まれる形状について、その輪郭を構成する画素を抽出する機能と、
前記画素を互いに隣接する複数の小画素に分割し、該小画素の各階調値を所定の関係に基づいて定める機能と、
前記輪郭画素を分割して得られた各小画素の階調値に基づいて、該輪郭画素に形成するドットの大きさを決定する機能と、
該輪郭画素には該決定した大きさのドットが形成されるように前記ドット形成有無の判断結果を変更する機能と
を実現するプログラムを記録したことを要旨とする。